(57)【要約】【課題】  ボトル容器の移動時にボトル容器の飲み口が手で持たれることがあっても、ボトルの飲み口の衛生が保たれる上、飲料を飲むときに剥がし易いシュリンク包装体を提供する。【解決手段】  頭部Ｐ１と、胴部Ｐ３と、それら頭部Ｐ１と胴部Ｐ３との間に設けられ且つ頭部Ｐ１と胴部Ｐ３のいずれの径よりも小さい径で形成される括れ部Ｐ２とを備えるボトルＰの、少なくとも頭部Ｐ１を覆う有底筒状のシュリンク包装体９０であって、頭部Ｐ１を覆う有底筒状のプラスチック材からなるオーバーキャップ部材９５と、全体が筒状に形成され且つ上端が前記オーバーキャップ部材９５の開口端部９５Ｂに接続されると共に下端が前記胴部Ｐ３に接着されるシュリンク本体９６とを備え、前記オーバーキャップ部材９５の開口部内側９５Ｃに、前記括れ部Ｐ２に係合する突出部９９が設けられた。【選択図】  図６
2005132486.tif 000002
【特許請求の範囲】
【請求項１】
熱収縮してボトルに密着するシュリンク包装体であって、
ボトル全体を被覆して密封することを特徴とするシュリンク包装体。
【請求項２】
熱収縮してボトルに密着する有底筒状に形成されるシュリンク包装体であって、
筒底部はボトル口部全体を被覆すると共に、開口端部はボトル胴部に密着することを特徴とするシュリンク包装体。
【請求項３】
前記ボトルを包装する包装体部と、該包装体部の厚みよりも薄くして形成され破壊されることによってシュリンク包装体の被覆を解除する易破断部とを備え、
前記易破断部は、前記ボトルに亘るように形成されたことを特徴とする請求項１または請求項２に記載のシュリンク包装体。
【請求項４】
前記易破断部は、互いに平行となるように線状に２列並べられて形成され、前記二つの易破断部間の包装体部に、引取りタブが備えられたことを特徴とする請求項３に記載のシュリンク包装体。
【請求項５】
前記ボトルを包装する包装体部と、該包装体部の厚みよりも薄くして形成され破壊されることによってシュリンク包装体の被覆を解除する易破断部とを備え、
前記易破断部は、前記ボトルに亘るように形成される直線易破断部と、該直線易破断部に交わってリング状に形成される円易破断部とを備えたことを特徴とする請求項１または請求項２に記載のシュリンク包装体。
【請求項６】
頭部と、胴部と、それら頭部と胴部との間に設けられ且つ頭部と胴部のいずれの径よりも小さい径で形成される括れ部とを備えるボトルの、少なくとも頭部を覆う有底筒状のシュリンク包装体であって、
頭部を覆う有底筒状のプラスチック材からなるオーバーキャップ部材と、全体が筒状に形成され且つ上端が前記オーバーキャップ部材の開口端部に接続されると共に下端が前記胴部に接着されるシュリンク本体とを備え、
前記オーバーキャップ部材の開口部内側に、前記括れ部に係合する突出部が設けられたことを特徴とするシュリンク包装体。
【発明の詳細な説明】
【技術分野】
【０００１】
本発明は、シュリンク包装体に関するものである。
【背景技術】
【０００２】
現在、世界各地で、サーズ、インフルエンザ等の我々の生命を脅かすウイルスが流行している。前記ウイルスの感染経路は簡単なものであり、次々と人々に感染していく。前記ウイルス問題は、世界各所の問題となってきたばかりか、わが国日本においても、ウイルス感染を危惧しつつある。前記ウイルスの感染経路の一つに、ウイルス感染者が手で握った媒体を、非感染者が何らかの形で口に入れてしまうというのがある。たとえば、ペットボトルの飲み口を、前記ウイルス感染者が触り、その飲み口に非感染者が口を付けてしまうというのがある。
【０００３】
一方、市販される飲料商品のほとんどは、ペットボトル等のボトル容器に充填されて販売される。前記ボトル容器は、スペースやデザイン等の問題から、嵩張る取っ手部分が備えられて無いのが一般的であり、加えて、飲み口部分は、幅方向に突出して形成されて持ち易い形状となっている（特許文献１参照）。従って、前記飲料商品にあっては、陳列または会計の際、ボトル容器の飲み口部分を持って移動させることが多い。このような態様は、上記したようなウイルスの感染原因となり得る。また、前記飲み口の衛生が維持されたもので無いと、消費者の購買意欲が失われ、結果、商品の売り上げが落ちてしまうことにも繋がる。
【特許文献１】特開２００２−３３７８８０号公報
【発明の開示】
【発明が解決しようとする課題】
【０００４】
本発明は、上記の点に鑑みなされたもので、ボトル容器の移動時にボトル容器の飲み口が手で持たれることがあっても、ボトルの飲み口の衛生が保たれる上、飲料を飲むときに剥がし易いシュリンク包装体を提供する。
【課題を解決するための手段】
【０００５】
上記課題を解決するために、本発明は、以下の手段のシュリンク包装体を提供する。
請求項１に係る発明は、熱収縮してボトルに密着するシュリンク包装体であって、ボトル全体を被覆して密封することを特徴とする。
本発明に係るシュリンク包装体にあっては、ボトル全体がシュリンク包装体でカバーされるため、ボトルを移動させる際、飲み口やボトル本体が手で直接触れられることを回避できる。従って、手に細菌が付着していたとしても前記ボトルには付着せず、ボトルの衛生が保たれ、消費者にとって安心な飲料商品となる。
【０００６】
請求項２に係る発明は、熱収縮してボトルに密着する有底筒状に形成されるシュリンク包装体であって、筒底部はボトル口部全体を被覆すると共に、開口端部はボトル胴部に密着することを特徴とする。
本発明に係るシュリンク包装体にあっては、ボトルの飲み口となるボトル口部がシュリンク包装体でカバーされるため、ボトルを移動させる際、飲み口が手で直接触れられることを回避できる。従って、手に細菌が付着していたとしても前記ボトル飲み口には付着せず、ボトルの飲み口の衛生が保たれ、消費者にとって安心な飲料商品となる。
【０００７】
請求項３に係る発明は、請求項１または請求項２に記載のシュリンク包装体において、前記ボトルを包装する包装体部と、該包装体部の厚みよりも薄くして形成され破壊されることによってシュリンク包装体の被覆を解除する易破断部とを備え、前記易破断部は、前記ボトルに亘るように形成されたことを特徴とする。
本発明に係るシュリンク包装体にあっては、シュリンク包装体に引っ張り力が加わると、包装体部と易破断部の厚みが異なるため、前記包装体部よりもボトルに亘るように形成される易破断部が、優先的に破壊されるものとなる。前記易破断部全てが破壊されると、ボトルを剥き出すことができ、シュリンク包装体を容易に外すことができる。従って、消費者は飲料を飲むために、簡単に剥がすことができるシュリンク包装体となる。
【０００８】
請求項４に係る発明は、請求項３に記載のシュリンク包装体において、前記易破断部は、互いに平行となるように線状に２列並べられて形成され、前記二つの易破断部間の包装体部に、引取りタブが備えられたことを特徴とする。
本発明に係るシュリンク包装体にあっては、引取りタブは指で摘まみ易く、引っ張り易い。前記引取りタブを引けば、簡単にシュリンク包装体に引っ張り力が加わることになる。そうすると、包装体部と易破断部の厚みが異なるため、前記包装体部よりも周回するように形成される易破断部が、優先的に破壊されるものとなる。前記易破断部全てが破壊されると、シュリンク包装体を容易に外すことができる。従って、消費者は飲料を飲むために、簡単に剥がすことができるシュリンク包装体となる。
【０００９】
請求項５に係る発明は、請求項１または請求項２に記載のシュリンク包装体において、前記ボトルを包装する包装体部と、該包装体部の厚みよりも薄くして形成され破壊されることによってシュリンク包装体の被覆を解除する易破断部とを備え、前記易破断部は、前記ボトルに亘るように形成される直線易破断部と、該直線易破断部に交わってリング状に形成される円易破断部とを備えたことを特徴とする。
【００１０】
本発明に係るシュリンク包装体にあっては、円易破断部近くの包装体部に引っ張り力が加わると、包装体部と円易破断部の厚みが異なるため、前記包装体部よりもリング状に形成される円易破断部が、優先的に破壊されるものとなる。前記円易破断部を破壊されると、円状に剥き出した部分が出てくる。シュリンク本体に剥き出した部分があると、指が掛け易いものとなり、シュリンク包装体に引っ張り力が加え易くなる。結果、ボトルに亘るように形成される直線易破断部が優先的に破壊され、前記易破断部全てが破壊されると、シュリンク包装体を容易に外すことができる。従って、消費者は飲料を飲むために、簡単に剥がすことができるシュリンク包装体となる。
【００１１】
請求項６に係る発明は、頭部と、胴部と、それら頭部と胴部との間に設けられ且つ頭部と胴部のいずれの径よりも小さい径で形成される括れ部とを備えるボトルの、少なくとも頭部を覆う有底筒状のシュリンク包装体であって、頭部を覆う有底筒状のプラスチック材からなるオーバーキャップ部材と、全体が筒状に形成され且つ上端が前記オーバーキャップ部材の開口端部に接続されると共に下端が前記胴部に接着されるシュリンク本体とを備え、前記オーバーキャップ部材の開口部内側に、前記括れ部に係合する突出部が設けられたことを特徴とする。
【００１２】
本発明に係るシュリンク包装体にあっては、前記突出部と括れ部が係合すると、オーバーキャップ部材を含むシュリンク包装体は、ボトルの頭部を覆うものとなる。すなわち、ボトルの飲み口辺りは、前記オーバーキャップ部材によって覆われ、飲み口が手で直接触れられることを回避できる。従って、手に細菌が付着していたとしても前記ボトル飲み口には付着せず、ボトルの飲み口の衛生が保たれ、消費者にとって安心な飲料商品となる。また、オーバーキャップ部材は、プラスチック材からなるため、弾性を有する。従って、前記突出部を括れ部に係合させたり、係合を外したりする際には、括れ部よりも大きい径の頭部を、前記弾性変形によってオーバーキャップ部材の開口部を広げることができ、好適に前記突出部を括れ部に係合させたり、係合を外したりすることができる。また、消費者が飲料を飲まない場合には、前記オーバーキャップ部材を飲み口に取り付ければ、飲み口の衛生を保つことができる。
【発明の効果】
【００１３】
この発明に係るシュリンク包装体によれば、ボトル容器の移動時にボトル容器の飲み口が手で持たれることがあっても、ボトルの飲み口の衛生が保たれる上、飲料を飲むときに剥がし易いものとなる。
【発明を実施するための最良の形態】
【００１４】
本発明に係るシュリンク包装体の実施形態であるペットボトルを被覆するシュリンク包装体を、図１から図６に示しながら説明する。なお、図１はペットボトルに被覆したシュリンク包装体の斜視図、図２はペットボトルに被覆した易破断部を備えるシュリンク包装体の斜視図、図３は図２のシュリンク包装体の易破断部の断面図、図４は図２のシュリンク包装体に引取りタブが備えられた例の斜視図、図５はオーバーキャップ部材を備えるシュリンク包装体の斜視図、図６は図５のオーバーキャップ部材に突出部が設けられボトルの括れ部との係合している拡大斜視図である。
【００１５】
図１（ａ）に示すシュリンク包装体１０は、ペットボトル１１全体を被覆する例である。前記シュリンク包装体１０は、一般のペットボトルに用いられるシュリンクラベルと同じく、熱が加わると収縮する素材からなる。すなわち、前記シュリンク包装体１０は、熱が加わる前では、ペットボトル１１に備えられる蓋体１２、及びペットボトル全体となる口部１３及び胴部１４を、容易に被せることが出来るほどの大きさからなる。このようなシュリンク包装体１０を、前記ペットボトル１１を覆うように配置し、該シュリンク包装体１０に蒸気等の熱された気体を噴き付けると、前記シュリンク包装体１０は、その熱を受けてペットボトルにぴったりと密着するまで収縮する（以下に挙げられるシュリンクは全て熱収縮する。）。そして、前記シュリンク包装体１０は、底部１５で開口端部同士を溶着し、前記ペットボトル１１を密封する。
【００１６】
上記のように構成されると、前記ペットボトル１１は前記シュリンク包装体１０によって覆われているため、該ペットボトル１１を直に触ることは出来ない。従って、前記ペットボトル１１の飲み口となる口部１３は、サーズ、インフルエンザ等のウイルスの侵入から護られたものとなる。前記ペットボトル１０は、通常のペットボトルと同様に、飲料商品が何であるのか識別するための識別シュリンクラベルＬが予め備えられており、前記シュリンク包装体１０は、該識別シュリンクラベルＬの上を、さらに被覆するものである。なお、本実施例では、シュリンク包装体１０は、識別シュリンクラベルＬと別に形成されるものとしたが、シュリンク包装体１０自体に前記したような識別標識が備えられるものであってもよい。
【００１７】
図１（ｂ）に示すシュリンク包装体２０は、有底筒状に形成されるものであって、ペットボトル２１の上半分を被覆した例である。シュリンク包装体２０は、前記シュリンク包装体１０と同様の素材で構成される。本実施例のシュリンク包装体２０は、前記シュリンク包装体１０と異なり、前記開口端部２８同士は、底部２５で溶着されずに開口されたままのものとなっている。すなわち、前記蓋体２２、口部２３、前記識別シュリンクラベルＬは、前記シュリンク包装体２０の筒底部２７によって被覆され、開口端部２８は熱収縮してボトル胴部２４にぴったりと密着する。そのため、前記シュリンク包装体２０にあっても、口部２３が前記ウイルスの侵入から護られたものとなる。なお、前記開口端部２８とペットボトル２１との接着は、熱収縮によってペットボトル２１に密着するものとしたが、前記開口端部２８を、公知の接着剤を用いて胴部２４に接着させたり、熱溶着させて構成されるものであっても良い。また、前記接着剤として用いた樹脂剤は適宜なものが選択でき、その中でも、人体に害の無いものを選択すると消費者にとって好ましいものとなる。
【００１８】
次に、前記シュリンク包装体１０に、易破断部が設けられた例について説明する。図２（ａ）に示すシュリンク包装体３０は、包装体部３７と易破断部３８とを備え、ペットボトル３１全体を被覆する。前記包装体部３７は前記シュリンク包装体１０，２０と同様に構成されるものである。そして、易破断部３８は、蓋体３２の当接部分から胴部３４当接部分を亘り底部３５当接部分に縦断するように周回して形成される。前記易破断部３８は、本発明の直線易破断部３８である。なお、本実施例における直線易破断部３８は、ペットボトルを周回して形成されるものであったが、これに限定されず、ペットボトルの片側だけに亘るように形成されても良いし、また、ペットボトルの水平方向円周を周回するように形成されても良い。
【００１９】
前記直線易破断部３８は、図３に示すように、前記シュリンク包装体３０の厚みに比して、薄く形成される。すなわち、直線易破断部３８は、幅は２、３ｍｍで、前記包装体部３７の厚みの５分の１程度以下の厚みとなっている。図３（ａ）に示す易破断部３８ａの断面形状は、真っ直ぐとなって前記包装体部３７に接続されて構成される例であり、図３（ｂ）に示す易破断部３８ｂの断面形状は、交差するように前記包装体部３７に接続されて構成される例である。また、図３（ｃ）に示すように、易破断部３８ｃの断面形状に、Ｖ字状の切れ込みが入れられるものであってもよい。さらに、図３（ｄ）に示すように、前記直線易破断部３８ｄを、包装体部３７の材料と異なった破断し易い別材料で、前記包装体部３７に接続されて構成されるものであってもよい。加えて、図３（ｅ）に示すように、前記直線易破断部３８ｄと同様の破断し易い別材料を、橋を架け渡すように包装体部３７の接続点３７ｅで接着させて、前記直線易破断部３８ｅを構成してもよい。なお、接着には接着剤による接着や熱溶着等の適宜の接着が適用できる。
【００２０】
上記のように構成されると、前記直線易破断部３８周辺に引っ張り力が加えられると、前記包装体部３７は前記引っ張り力に耐えて破壊されないが、前記直線易破断部３８は、前記引っ張り力に耐えられず破壊されることとなる。従って、周回する前記直線易破断部３８のみが切られ、前記シュリンク包装体３０は、綺麗にそして簡単に剥がされるものとなる。また、前記直線易破断部が、ペットボトルの水平方向円周を周回するように形成される場合、ペットボトルを雑巾と見立て、雑巾を絞るようにシュリンク包装体を捻ると、前記したように、易破断部３８のみが破壊されて、シュリンク包装体を剥がすことができる。なお、図示しないが、図１（ｂ）のシュリンク包装体２０に前記した直線易破断部が形成される場合では、前記一側方の開口端部２８から他側方の開口端部２８に、前記蓋体２２を亘るように形成しても良いし、また、水平方向円周を周回するように形成しても良い。
【００２１】
また、図２（ｂ）に示すシュリンク包装体４０は、前記シュリンク包装体３０の直線易破断部３８に加えて、円易破断部４９が設けられる例である。すなわち、ペットボトル蓋体４２に位置する前記直線易破断部４８は、円周リング状に円易破断部４９が形成される。前記円易破断部４９内には、前記包装体部４７Ａと同様の厚みとなる内側包装体部４７Ｂが形成されている。具体的には、親指サイズに相当する外円径１．５ｃｍと内円形１ｃｍの円周間が前記円易破断部４９で構成され、内円形１ｃｍ内は、内側包装体部４７Ｂが形成されたものとなっている。前記内側包装体部４７Ｂは、前記包装体部４７Ａ（４７）と同じ厚みとなっている。
【００２２】
上記のように構成されると、前記内側包装体部４７Ｂを指で押さえながら蓋体４２を擦るように移動させれば、前記円易破断部４９周辺に引っ張り力が働くものとなる。そうすると、前記包装体部４７Ａ及び内側包装体部４７Ｂは破壊されず、円易破断部４９のみが破壊されて、内側包装体部４７Ｂに係る表皮が取れ、蓋体４２が円く剥き出したものとなる。そして、円く蓋体４２が剥き出された部分に指を引っ掛け、前記包装体部４７Ａを引っ張ると、前記直線易破断部４８に引っ張り力が加えられて破壊される。つまり、周回する前記直線易破断部４８のみが切られ、前記シュリンク包装体４０は、綺麗にそして簡単に剥がされるものとなる。
【００２３】
なお、前記円易破断部４９は、円周リング状で形成されるものであったが、これに限定されず、円全部が破断され易いように薄く形成されるものであってもよい。また、円周リング形状に限定されず、各種適宜のリング形状を採用しても何ら問題はない。また、前記円易破断部４９は、蓋体４２に設けられるものとしたが、これに限定すること無く、ペットボトル４１の適宜な位置に設けられても何ら問題は無い。
【００２４】
図４（ａ），（ｂ）に示すシュリンク包装体５０，６０は、ペットボトル５１，６１に前記直線易破断部５８Ａ，５８Ｂ（６８Ａ，６８Ｂ）を、内側包装体部５７Ｂ，６７Ｂを間に挟んで、互いに平行となるように線状に２列並べて形成し、さらに、前記内側包装体部５７Ｂ，６７Ｂに引取りタブ５９，６９を下側に突出して設けた例である。図４（ａ）に示すシュリンク包装体５０は、縦に周回させるように前記直線易破断部を設けた例であり、図４（ｂ）に示すシュリンク包装体６０は、ボトル断面円周上に周回させるように前記直線易破断部を設けた例である。また、前記引取りタブ５９，６９は、指で摘み易い大きさで形成されており、前記引取りタブ６９周辺の内側包装体部６７Ｂに、前記引取りタブ５９，６９を引き取れるように切れ目６８Ｃが設けられている。なお、引取りタブ５９の切れ目は、ペットボトルの底側の、この図では見え無い位置にある。
【００２５】
前記引取りタブ５９，６９を引っ張ると、前記切れ目６８Ｃが切れ、両側の易破断部５８Ａ，５８Ｂ（６８Ａ，６８Ｂ）及び前記包装体部５７に引っ張り力が働くが、前記包装体部５７より破壊されやすい該易破断部５８Ａ，５８Ｂ（６８Ａ，６８Ｂ）が優先的に次々と破壊される。従って、前記引っ張りタブ５９（６９）を備える内側包装体部５７Ｂ（６７Ｂ）のみが引き取られる。前記シュリンク包装体５０では縦長の切れ目を作り、前記シュリンク包装体６０では横長の切れ目を作り、シュリンク包装体５０，６０を綺麗にそして簡単に剥がすものとなる。
【００２６】
図５（ａ）（ｂ）に示すシュリンク包装体７０，８０は、頭部Ｐ１と、胴部Ｐ３と、それら頭部Ｐ１と胴部Ｐ３との間に設けられ且つ頭部Ｐ１と胴部Ｐ３のいずれの径よりも小さい径で形成される括れ部Ｐ２とを備えるペットボトルＰの、少なくとも頭部Ｐ１を覆う有底筒状のシュリンク包装体である。前記シュリンク包装体７０（８０）は、前記ボトル口部７１（８１）を含む頭部Ｐ１に、オーバーキャップ部材７５（８５）が備えられる。前記オーバーキャップ部材７５（８５）は、有底筒状のプラスチック材からなる。具体的には、前記オーバーキャップ部材７５（８５）は、コップ形状で材をポリスチレンとし、前記ボトル口部７１（８１）を覆う蓋体７２（８２）を覆うように、筒底部７５Ａ（８５Ａ）を上にして逆さまに設けられる。これによって、ペットボトルＰの頭部Ｐ１は覆われるものとなっている。なお、前記オーバーキャップ部材７５（８５）の筒底部７５Ａ（８５Ａ）の反対側が開口端部７５Ｂ（８５Ｂ）となっている。
【００２７】
図５（ａ）に示すオーバーキャップ部材７５は、前記開口端部７５Ｂが、前記ペットボトルＰの括れ部Ｐ２と胴部Ｐ３との間の肩部Ｐ４に接着剤７５Ｃによって簡易接着している例であり、図５（ｂ）に示すオーバーキャップ部材８５は、前記開口端部８５Ｂが、前記蓋体８２の頭頂部８２Ａに接着剤８５Ｃによって簡易接着している例である。前記オーバーキャップ部材７５，８５は、いずれも開口端部７５Ｂ，８５Ｂにシュリンク本体７６，８６が公知の接着剤によって簡易接続されている。具体的には、所定の力で破壊される程度の樹脂剤Ｃで、筒状に形成されるシュリンク本体７６，８６の上端７６Ａ，８６Ａが、前記開口端部７５Ｂ，８５Ｂに接続されている。また、前記シュリンク本体７６，８６の下端７６Ｂ，８６Ｂは、前記ペットボトルＰの胴部Ｐ３に接着剤によって接着されたものとなっている。なお、前記下端７６Ｂ，８６Ｂの胴部Ｐ３への接着は、接着剤によるものに限定されず、熱収縮や熱溶着によって接着されるものであってよい。
【００２８】
上記のように構成されると、前記オーバーキャップ部材７５，８５を、通常キャップを外すような回転方向に力を加えると、その回転方向の引っ張り力によって、前記簡易接着７５Ｃ，８５Ｃは外れる。さらに、前記回転方向に力を加え続けると、前記シュリンク本体７６，８６を回転させるよう力が働く。ここで、前記シュリンク本体７６，８６は、ペットボトルＰに密着しているので、シュリンク本体７６，８６回転せず、このシュリンク包装体７０，８０の中で一番弱い部分とされる、開口端部７５Ｂ，８５Ｂとシュリンク本体７６，８６との接続部分である前記樹脂剤Ｃが破壊されて、オーバーキャップ部材７５，８５とシュリンク本体７６，８６が別々になる。これにより、前記シュリンク包装体７０，８０は開封されるものとなる。
【００２９】
図６（ａ）（ｂ）に示すシュリンク包装体９０，１００は、前記シュリンク包装体８０であって、前記オーバーキャップ部材９５，１０５の開口部内側９５Ｄ，１０５Ｄに、突出部９９，１０９が設けられた例である。前記突出部９９，１０９は、オーバーキャップ部材９５，１０５に一体となるように突出して成形され、前記突出部９９，１０９の内径Ｘは、前記蓋体９２，１０２の径Ｙよりも小さく構成される。なお、シュリンク包装体９０にあっては、前記突出部９９が設けられた以外の構成は、前記シュリンク包装体８０と同様な構成である。また、シュリンク本体９６は前記と同様に、樹脂剤で前記開口端部９５Ｂに接続されている。
【００３０】
シュリンク包装体１００にあっては、前記シュリンク包装体９０の前記オーバーキャップ部材９５の外側に、さらに、おまけ入れ１０８を設けた例である。具体的には、前記オーバーキャップ部材９５を、前記オーバーキャップ部材９５の外壁９７のなす径よりも大きな径のコップに、入れ込んだように構成される。すなわち、前記オーバーキャップ部材１０５は、筒底部１０５Ａが延設され、該筒底部１０５Ａに垂直に外壁１０７が設けられる。外壁１０７の端部１０７Ａは、前記シュリンク包装体７０と同様に、ペットボトルＰの肩部Ｐ４に接着剤１０５Ｃによって簡易接着している。また、シュリンク本体１０６は前記と同様に、樹脂剤で前記開口端部１０５Ｂに接続されている。前記おまけ入れ１０８には、適宜のおまけを入れることができる。なお、前記の接着は、樹脂剤による接着に限られず、熱溶着による接着であっても何ら問題は無い。
【００３１】
上記のように構成されると、前記オーバーキャップ部材９５，１０５の突出部９９，１０９の内径Ｘは、前記蓋体９２，１０２の径Ｙ、及び前記胴部Ｐ３に比して小さいものとなる。前記内径Ｘは、前記括れ部Ｐ２の径にほぼ等しい大きさである。従って、前記突出部９９，１０９が前記括れ部Ｐ２に位置している場合には、前記蓋体９２，１０２と胴部Ｐ３との径の大きさの違いによって、前記オーバーキャップ部材９５，１０５は移動せず、前記括れ部Ｐ２好適に係合する。これによって、前記オーバーキャップ部材９５，１０５はペットボトルＰの口部９３，１０３と、前記蓋体９２，１０２とを含むペットボトル頭部Ｐ１を、好ましく覆うものとなる。
【００３２】
なお、前記オーバーキャップ部材９５，１０５は、前記したように、弾性を有するプラスチック材からなる。従って、前記突出部９９，１０９を括れ部Ｐ２に係合させたり、係合を外したりする際には、括れ部Ｐ２よりも大きい径となる蓋体９２，１０２を、前記オーバーキャップ部材９５，１０５の弾性変形によって前記開口部９５Ｄ，１０５Ｄを広げ、前記蓋体９２，１０２を含む頭部Ｐ１を乗越えることができる。なお、前記変形は弾性変形であるため、頭部Ｐ１を乗越えると、元の通りの形状に戻る。従って、前記オーバーキャップ部材９５，１０５は、適宜に、前記ペットボトルＰの頭部Ｐ１に、嵌めたり外したりすることができる。
【００３３】
また、前記突出部９９と括れ部Ｐ２が係合すると、オーバーキャップ部材９５，１０５を含むシュリンク包装体９０，１００は、ペットボトルＰの頭部Ｐ１を覆うものとなる。すなわち、ペットボトルＰの飲み口９３，１０３辺りは、前記オーバーキャップ部材９５，１０５によって覆われ、飲み口９３，１０３が手で直接触れられることを回避できる。従って、手に細菌が付着していたとしても前記ペットボトル飲み口９３，１０３には付着せず、ペットボトルの飲み口９３，１０３の衛生が保たれ、消費者にとって安心な飲料商品となる。
【００３４】
なお、本発明のシュリンク包装体は、飲料商品のシュリンク包装に限定されず、消費者が口にするような商品のシュリンク包装や、医療薬品に代表される衛生を保ちたいものに対して、上記の例を適宜変更して適用することができる。
【図面の簡単な説明】
【００３５】
【図１】ペットボトルに被覆したシュリンク包装体の斜視図である。
【図２】ペットボトルに被覆した易破断部を備えるシュリンク包装体の斜視図である。
【図３】図２のシュリンク包装体の易破断部の断面図である。
【図４】図２のシュリンク包装体に引取りタブが備えられた例の斜視図である。
【図５】オーバーキャップ部材を備えるシュリンク包装体の斜視図である。
【図６】図５のオーバーキャップ部材に突出部が設けられボトルの括れ部との係合している拡大斜視図である。
【符号の説明】
【００３６】
９０    シュリンク包装体
９５    オーバーキャップ部材
９５Ｂ    開口端部
９５Ｃ    開口部内側
９６    シュリンク本体
９９    突出部
Ｐ    ボトル
Ｐ１    頭部
Ｐ２    括れ部
Ｐ３    胴部
【図１】
2005132486.tif 000003
【図２】
2005132486.tif 000004
【図３】
2005132486.tif 000005
【図４】
2005132486.tif 000006
【図５】
2005132486.tif 000007
【図６】
2005132486.tif 000008